(57)【特許請求の範囲】
【請求項１】
複数の回路を構成する複数の線状導体の端末にコネクタが設けられた複数のサブハーネスと、
前記複数のサブハーネスの複数の前記コネクタが嵌合するハウジング、及び、前記ハウジングに保持され、前記ハウジングに嵌合された前記複数のコネクタが接続されると共に前記サブハーネスの前記複数の回路を分岐させ他の前記サブハーネスの回路に接続する分岐回路板を有する分岐構造とを備え、
前記ハウジングは、前記コネクタが嵌合する空間部である複数の嵌合空間部と、前記分岐回路板を保持する部分である回路板保持部とを含んで構成され、
前記分岐回路板は、前記回路板保持部によって前記ハウジングの内部に保持された状態で、各接点部が前記複数の嵌合空間部側に露出し、
前記複数のコネクタは、すべて共通の形状であり、それぞれ前記分岐回路板の端面が嵌合する嵌合凹部を有し、各前記嵌合空間部に嵌合した状態で、各前記嵌合凹部に前記分岐回路板の端面が嵌合し、各前記コネクタが保持する各金属端子の各接点部と前記分岐回路板の前記各接点部とが当接し電気的に接続され、
前記複数の嵌合空間部は、隣接する方向に連続することを特徴とする、
ワイヤハーネス。
【請求項２】
前記ハウジングは、前記複数のコネクタが同じ向きで嵌合される、
請求項１に記載のワイヤハーネス。
【請求項３】
前記ハウジングは、前記複数のコネクタの少なくとも一部が互いに対向する向きで嵌合される、
請求項１又は請求項２に記載のワイヤハーネス。
【請求項４】
前記ハウジングは、前記複数のコネクタの少なくとも一部が互いに交差する向きで嵌合される、
請求項１乃至請求項３のいずれか１項に記載のワイヤハーネス。
【請求項５】
前記ハウジングは、複数設けられ、それぞれ相互に係合される係合部を有する、
請求項１乃至請求項４のいずれか１項に記載のワイヤハーネス。
【請求項６】
複数の回路を構成する複数の線状導体の端末にコネクタが設けられた複数のサブハーネスの複数の前記コネクタが嵌合するハウジングと、
前記ハウジングに保持され、前記ハウジングに嵌合された前記複数のコネクタが接続されると共に前記サブハーネスの前記複数の回路を分岐させ他の前記サブハーネスの回路に接続する分岐回路板とを備え、
前記ハウジングは、すべて共通の形状の前記複数のコネクタが嵌合され、
さらに、前記ハウジングは、前記コネクタが嵌合する空間部である複数の嵌合空間部と、前記分岐回路板を保持する部分である回路板保持部とを含んで構成され、
前記分岐回路板は、前記回路板保持部によって前記ハウジングの内部に保持された状態で、各接点部が前記複数の嵌合空間部側に露出し、
前記複数のコネクタは、それぞれ前記分岐回路板の端面が嵌合する嵌合凹部を有し、各前記嵌合空間部に嵌合した状態で、各前記嵌合凹部に前記分岐回路板の端面が嵌合し、各前記コネクタが保持する各金属端子の各接点部と前記分岐回路板の前記各接点部とが当接し電気的に接続され、
前記複数の嵌合空間部は、隣接する方向に連続することを特徴とする、
分岐構造。
【請求項７】
前記ハウジングは、分割された複数の分割体によって全体が構成され、
前記嵌合空間部、及び、前記回路板保持部は、前記複数の分割体によって区画され、
前記分岐回路板は、前記複数の分割体によって挟み込まれるようにして前記ハウジング内部の前記回路板保持部に設置される、
請求項１乃至請求項５のいずれか１項に記載のワイヤハーネス。
【発明の詳細な説明】
【技術分野】
【０００１】
本発明は、ワイヤハーネス、及び、分岐構造に関する。
【背景技術】
【０００２】
分岐構造が適用される従来のワイヤハーネスとして、例えば、特許文献１には、電装品単位の内部回路を備える複数のジャンクションボックスと、これらジャンクションボックス間に配線する幹線と、ジャンクションボックスと電装品間に配線する支線を夫々別個に設けた車両用ワイヤハーネスが開示されている。そして、上記ジャンクションボックスの内部回路は、すべての電源・信号の分配を行う分岐回路と他のジャンクションボックスの内部回路同士および他のジャンクションボックスの内部回路と電装品の接続を行うスルー回路を備え、かつ、上記幹線および支線を構成する電線群の各電線は、分岐させずにすべて単線して、これら幹線および支線は、電線群の端末に夫々コネクタを取り付けておき、ジャンクションボックスとすべてコネクタ接続する。
【先行技術文献】
【特許文献】
【０００３】
【特許文献１】特開平０８−２５１７５５号公報
【発明の概要】
【発明が解決しようとする課題】
【０００４】
ところで、上述の特許文献１に記載の車両用ワイヤハーネスは、例えば、製造効率向上のため、ジャンクションボックスとコネクタとのコネクタ接続の構造等の点で更なる改善の余地がある。
【０００５】
本発明は、上記の事情に鑑みてなされたものであって、製造効率を向上することができるワイヤハーネス、及び、分岐構造を提供することを目的とする。
【課題を解決するための手段】
【０００６】
上記目的を達成するために、本発明に係るワイヤハーネスは、複数の回路を構成する複数の線状導体の端末にコネクタが設けられた複数のサブハーネスと、前記複数のサブハーネスの複数の前記コネクタが嵌合するハウジング、及び、前記ハウジングに保持され、前記ハウジングに嵌合された前記複数のコネクタが接続されると共に前記サブハーネスの前記複数の回路を分岐させ他の前記サブハーネスの回路に接続する分岐回路板を有する分岐構造とを備え、前記複数のコネクタは、すべて共通の形状であることを特徴とする。
【０００７】
また、上記ワイヤハーネスでは、前記ハウジングは、前記複数のコネクタが同じ向きで嵌合されるものとすることができる。
【０００８】
また、上記ワイヤハーネスでは、前記ハウジングは、前記複数のコネクタの少なくとも一部が互いに対向する向きで嵌合されるものとすることができる。
【０００９】
また、上記ワイヤハーネスでは、前記ハウジングは、前記複数のコネクタの少なくとも一部が互いに交差する向きで嵌合されるものとすることができる。
【００１０】
また、上記ワイヤハーネスでは、前記ハウジングは、複数設けられ、それぞれ相互に係合される係合部を有するものとすることができる。
【００１１】
上記目的を達成するために、本発明に係る分岐構造は、複数の回路を構成する複数の線状導体の端末にコネクタが設けられた複数のサブハーネスの複数の前記コネクタが嵌合するハウジングと、前記ハウジングに保持され、前記ハウジングに嵌合された前記複数のコネクタが接続されると共に前記サブハーネスの前記複数の回路を分岐させ他の前記サブハーネスの回路に接続する分岐回路板とを備え、前記ハウジングは、すべて共通の形状の前記複数のコネクタが嵌合されることを特徴とする。
【発明の効果】
【００１２】
本発明に係るワイヤハーネス、及び、分岐構造は、ハウジングに保持された分岐回路板によって、サブハーネスの複数の回路を分岐させ他のサブハーネスの回路に接続することができる。そして、ワイヤハーネス、及び、分岐構造は、ハウジングに嵌合され分岐回路板に接続される複数のサブハーネスの複数のコネクタがすべて共通の形状で構成されるので、分岐部分を分岐構造に集約しワイヤハーネスの形体を簡略化した上で、組み立て時の作業性の向上や構成部品の汎用性の向上等を図ることができる。この結果、ワイヤハーネス、及び、分岐構造は、製造効率を向上することができる、という効果を奏する。
【図面の簡単な説明】
【００１３】
【図１】図１は、実施形態１に係るワイヤハーネスの概略構成を比較例と比較して説明する模式図である。
【図２】図２は、実施形態１に係るワイヤハーネスの分岐側コネクタの概略構成を表す分解斜視図である。
【図３】図３は、実施形態１に係るワイヤハーネスの分岐構造の概略構成を表す分解斜視図である。
【図４】図４は、実施形態１に係るワイヤハーネスの分岐構造の分岐側コネクタ嵌合前の概略構成を表す分解斜視図である。
【図５】図５は、実施形態１に係るワイヤハーネスの分岐構造の分岐側コネクタ嵌合後の概略構成を表す斜視図である。
【図６】図６は、実施形態２に係るワイヤハーネスの分岐構造の概略構成を表す分解斜視図である。
【図７】図７は、実施形態２に係るワイヤハーネスの分岐構造の分岐側コネクタ嵌合前の概略構成を表す分解斜視図である。
【図８】図８は、実施形態２に係るワイヤハーネスの分岐構造の分岐側コネクタ嵌合後の概略構成を表す模式的な側面図である。
【図９】図９は、実施形態２に係るワイヤハーネスの分岐構造の分岐側コネクタ嵌合後の概略構成を表す斜視図である。
【図１０】図１０は、変形例に係るワイヤハーネスの分岐構造の概略構成を表す斜視図である。
【図１１】図１１は、変形例に係るワイヤハーネスの分岐構造の概略構成を表す斜視図である。
【図１２】図１２は、実施形態３に係るワイヤハーネスの分岐構造の概略構成を表す分解斜視図である。
【図１３】図１３は、実施形態３に係るワイヤハーネスの分岐構造の分岐側コネクタ嵌合前の概略構成を表す分解斜視図である。
【図１４】図１４は、実施形態３に係るワイヤハーネスの分岐構造の分岐側コネクタ嵌合後の概略構成を表す斜視図である。
【図１５】図１５は、実施形態４に係るワイヤハーネスの分岐構造の一方の分割体の概略構成を表す斜視図である。
【図１６】図１６は、実施形態４に係るワイヤハーネスの分岐構造の他方の分割体の概略構成を表す斜視図である。
【図１７】図１７は、実施形態４に係るワイヤハーネスの分岐構造の分岐側コネクタ嵌合後の概略構成を表す斜視図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態１］
図１は、実施形態１に係るワイヤハーネスの概略構成を比較例と比較して説明する模式図である。図２は、実施形態１に係るワイヤハーネスの分岐側コネクタの概略構成を表す分解斜視図である。図３は、実施形態１に係るワイヤハーネスの分岐構造の概略構成を表す分解斜視図である。図４は、実施形態１に係るワイヤハーネスの分岐構造の分岐側コネクタ嵌合前の概略構成を表す分解斜視図である。図５は、実施形態１に係るワイヤハーネスの分岐構造の分岐側コネクタ嵌合後の概略構成を表す斜視図である。なお、図４、図５は、わかり易くするために金属端子、線状導体の図示を省略している。
【００１６】
図１中、向かって下側に図示した本実施形態に係るワイヤハーネス１は、例えば、自動車等に搭載される各装置間の接続のために、電源供給や信号通信に用いられるものである。そして、本実施形態のワイヤハーネス１は、分岐を有さない線状導体２によって構成される導体群３の両端に一対のコネクタ４が設けられることでユニット化された複数のサブハーネス１０を構成し、当該複数のサブハーネス１０を分岐構造２０を介して電気的に接続して全体が構成される。図１中、向かって上側に図示した比較例に係るワイヤハーネス１Ａは、複数のコネクタ２Ａ間に縦横無尽に複数の線状導体３Ａが渡されるものであり、このため、当該複数の線状導体３Ａの取り回しや取りまとめが煩雑となるおそれがある。これに対して、本実施形態のワイヤハーネス１は、上記のように分岐を有さないようにユニット化された複数のサブハーネス１０を分岐構造２０で相互に接続して全体を構成することで、製造効率の向上を図ったものである。そしてさらに、本実施形態のワイヤハーネス１は、サブハーネス１０を構成する一対のコネクタ４のうち分岐構造２０に接続されるコネクタ４の形状をすべて共通とすることで、更なる製造効率の向上を図ったものである。
【００１７】
なお、図１では、分岐構造２０に接続されるコネクタ４の数は、あくまでも一例を例示しただけであり、これに限られない。また、以下の説明では、サブハーネス１０を構成する一対のコネクタ４のうち、分岐構造２０に接続されるコネクタ４を特に区別していう場合、当該分岐構造２０に接続される側のコネクタ４を分岐側コネクタ３０という場合がある。サブハーネス１０を構成する一対のコネクタ４のうち分岐側コネクタ３０以外のコネクタ４は、接続される機器等に応じた形状とされればよい。ワイヤハーネス１を構成する各サブハーネス１０は、少なくとも１つの分岐側コネクタ３０を備えていればよく、すなわち、一対のコネクタ４のうち一方だけが分岐側コネクタ３０であるものも存在するし、一対の分岐構造２０に渡って配設されるもののように一対のコネクタ４の両方が分岐側コネクタ３０であるものも存在する。
【００１８】
具体的には、図１に示すように、ワイヤハーネス１は、複数のサブハーネス１０と、当該複数のサブハーネス１０を接続する分岐構造２０とを備える。ここでは、サブハーネス１０は、７つ設けられると共に、分岐構造２０も２つ設けられる。ワイヤハーネス１は、７つのサブハーネス１０と２つの分岐構造２０とによって全体が構成され、７つのサブハーネス１０によって幹線、及び、支線が構成される。
【００１９】
サブハーネス１０は、複数の回路を構成する複数の線状導体２と、線状導体２の端末に設けられた一対のコネクタ４とを含んで構成される。線状導体２は、分岐を有さない導体によって構成される。線状導体２は、例えば、複数の導電性の素線を束ねたり撚り合せたりして構成される芯線に絶縁被覆を施した電線、導電性の棒部材に絶縁被覆を施した金属棒等によって構成される。線状導体２は、各サブハーネス１０において複数が束ねられることで導体群３を構成する。導体群３は、例えば、コルゲートチューブ、グロメット、プロテクタ、固定具等の外装品が組み付けられてもよい。各線状導体２は、ワイヤハーネス１における複数の回路の一部を構成する。コネクタ４は、導体群３の両端末、つまり、複数の線状導体２の両端末に一対で設けられる。サブハーネス１０は、線状導体２によって構成される導体群３の両端に一対のコネクタ４が設けられることでユニット化され、接続対象物間を１対１で接続する。コネクタ４は、サブハーネス１０を構成する各線状導体２を、接続相手と電気的に接続するためのものである。コネクタ４によって接続される接続相手としては、分岐構造２０が含まれており、ここでは、コネクタ４は、当該分岐構造２０と接続するものが上述の分岐側コネクタ３０として構成される。
【００２０】
分岐側コネクタ３０は、各サブハーネス１０の相互においてすべて共通の形状、及び、材料によって構成される。分岐側コネクタ３０は、図２に示すように、コネクタハウジング３１とスペーサ３２とを含んで構成され、全体が絶縁性の合成樹脂材等によって構成される。
【００２１】
コネクタハウジング３１は、各線状導体２の端末に設けられる導電性の金属端子２ａが挿入されこれを保持するものである。コネクタハウジング３１は、略直方体形状に形成される。コネクタハウジング３１は、端子挿入孔３１ａと、嵌合凹部３１ｂと、係止アーム部３１ｃとを含んで構成される。
【００２２】
端子挿入孔３１ａは、コネクタハウジング３１の長辺方向（分岐側コネクタ３０における第１の方向）の一方の端面から長辺方向に沿って形成される端子挿入用の空間部である。当該端子挿入孔３１ａは、金属端子２ａを保持するキャビティと呼ばれることもある。端子挿入孔３１ａは、接続される線状導体２の数に応じて複数、ここでは４つが形成されている。４つの端子挿入孔３１ａは、長辺方向と直交する短辺方向（分岐側コネクタ３０における第２の方向）に沿って２つ並ぶと共に、長辺方向、及び、短辺方向と直交する高さ方向（分岐側コネクタ３０における第３の方向）に２つ並ぶようにして形成される。ここでは、端子挿入孔３１ａは、高さ方向に対向する２つが高さ方向に沿って連通している。各端子挿入孔３１ａは、それぞれ金属端子２ａが長辺方向に沿って１つずつ挿入される。各端子挿入孔３１ａは、コネクタハウジング３１の長辺方向の一方の端面側の開口から金属端子２ａが挿入される。コネクタハウジング３１は、スペーサ３２を嵌合するための不図示の嵌合孔を有しており、各金属端子２ａが各端子挿入孔３１ａの所定の位置まで挿入された状態で、スペーサ３２が当該嵌合孔に嵌合することで、スペーサ３２によって当該金属端子２ａを各端子挿入孔３１ａ内に係止しこれを保持する。
【００２３】
嵌合凹部３１ｂは、コネクタハウジング３１の長辺方向の他方の端面に形成される。嵌合凹部３１ｂは、後述する分岐回路板２２の端面が嵌合する凹部であり、コネクタハウジング３１の高さ方向中央付近に形成される。嵌合凹部３１ｂは、コネクタハウジング３１を短辺方向に沿って貫通すると共に長辺方向に沿って中央部近傍まで延在している。上述の各端子挿入孔３１ａは、高さ方向に対して当該嵌合凹部３１ｂを挟んで２つが一方側、残りの２つが他方側に形成される。各端子挿入孔３１ａは、長辺方向の嵌合凹部３１ｂ側の端部が当該嵌合凹部３１ｂまで延在し、当該嵌合凹部３１ｂと連通している。各金属端子２ａは、各端子挿入孔３１ａ内に挿入され保持された状態で接点部２ｂが当該嵌合凹部３１ｂ側に露出する。
【００２４】
係止アーム部３１ｃは、コネクタハウジング３１の高さ方向の一方の端面に形成されている。係止アーム部３１ｃは、高さ方向の一方の端面において、長辺方向の他方側（嵌合凹部３１ｂ側）の端部から一方側（端子挿入孔３１ａの開口側）に向けて片持ち梁状に形成される。係止アーム部３１ｃは、長辺方向の中央部近傍に係止部３１ｄが形成されると共に、長辺方向の先端部に係止解除部３１ｅが形成される。係止部３１ｄは、分岐側コネクタ３０を後述するハウジング２１に係止するための部分であり、ここでは係止凹部として形成される。係止解除部３１ｅは、係止部３１ｄを介した分岐側コネクタ３０とハウジング２１との係止を解除するために押圧操作される部分である。
【００２５】
分岐構造２０は、図３、図４、図５等に示すように、複数のサブハーネス１０の複数の分岐側コネクタ３０が嵌合するハウジング２１と、ハウジング２１に保持される分岐回路板２２とを有する。
【００２６】
ハウジング２１は、略直方体形状に形成され、全体が絶縁性の合成樹脂材等によって構成される。分岐構造２０は、複数のサブハーネス１０の回路（線状導体２）を分岐接続するものであり、ここでは、ハウジング２１は、少なくとも３つ以上の分岐側コネクタ３０が嵌合される。ハウジング２１は、嵌合空間部２１ａと、係止部２１ｂと、回路板保持部２１ｃとを含んで構成される。
【００２７】
嵌合空間部２１ａは、分岐側コネクタ３０が嵌合する空間部である。嵌合空間部２１ａは、分岐側コネクタ３０の形状に合わせて略直方体形状の空間部として形成されるコネクタ挿入用の空間部である。当該嵌合空間部２１ａは、分岐側コネクタ３０を保持するキャビティと呼ばれることもある。嵌合空間部２１ａは、ハウジング２１に嵌合される分岐側コネクタ３０の数に応じて複数形成される。ここでは、嵌合空間部２１ａは、ハウジング２１に嵌合される３つの分岐側コネクタ３０に対応してそれぞれ１つずつ、合計３つが形成される。本実施形態のハウジング２１は、複数の分岐側コネクタ３０が同じ向きで嵌合される。すなわちここでは、複数の嵌合空間部２１ａは、すべてハウジング２１の長辺方向（ハウジング２１における第１の方向）の一方の端面から長辺方向に沿って形成されると共に、長辺方向と直交する短辺方向（ハウジング２１における第２の方向）に沿って等間隔で並んで形成される。各嵌合空間部２１ａは、ハウジング２１の長辺方向の一方の端面側の開口から分岐側コネクタ３０が挿入され、嵌合される。
【００２８】
係止部２１ｂは、ハウジング２１の各嵌合空間部２１ａ内の所定の位置にそれぞれ形成されている。係止部２１ｂは、嵌合空間部２１ａ内の高さ方向（ハウジング２１における第３の方向であり、長辺方向、及び、短辺方向と直交する方向）の一方側の壁面に形成されている。係止部２１ｂは、嵌合空間部２１ａ内に嵌合された分岐側コネクタ３０を係止するための部分であり、ここでは係止凸部として形成される。ハウジング２１は、係止凸部として形成される係止部２１ｂが嵌合空間部２１ａ内に嵌合された分岐側コネクタ３０の係止部３１ｄ（係止凹部）に係合することで、当該分岐側コネクタ３０が嵌合空間部２１ａ内に嵌合された状態で所定の位置に係止される。
【００２９】
回路板保持部２１ｃは、ハウジング２１の内部において各嵌合空間部２１ａの先端側（長辺方向の他方側）に形成されている。回路板保持部２１ｃは、板状に形成される後述の分岐回路板２２を保持する部分である。回路板保持部２１ｃは、ハウジング２１内部にて分岐回路板２２をハウジング２１の長辺方向、及び、短辺方向を含む面（言い換えれば、高さ方向と直交する面）と平行に保持する。
【００３０】
分岐回路板２２は、ハウジング２１の内部に保持され、ハウジング２１に嵌合された複数の分岐側コネクタ３０が接続される。分岐回路板２２は、サブハーネス１０の複数の線状導体２によって構成される複数の回路を分岐させ他のサブハーネス１０の回路に接続する分岐回路を含んで構成される。つまり、分岐回路板２２は、少なくとも１つのサブハーネス１０の複数の回路を分岐させ、複数の他のサブハーネス１０の回路に分岐接続するものである。分岐回路板２２は、全体として略矩形板状に形成され、主面の端部表面に金属端子２ａの接点部２ｂと当接し電気的に接続される接点部２２ａが形成される。分岐回路板２２は、例えば、いわゆるプリント回路基板（Ｐｒｉｎｔｅｄ  Ｃｉｒｃｕｉｔ  Ｂｏａｒｄ：ＰＣＢ）によって構成されてもよいし、インサート成形によって樹脂基材の内部にバスバーを一体成形したバスバーインサート成形板によって構成されてもよい。ここでは、分岐回路板２２は、種々の分岐バリエーションに対応しやすいように回路変換が容易なＰＣＢによって構成される。分岐回路板２２は、回路板保持部２１ｃによってハウジング２１の内部に保持された状態で、各接点部２２ａが嵌合空間部２１ａ側に露出する。
【００３１】
上記のように構成される分岐構造２０は、図３、図４に示すように、ハウジング２１の内部の回路板保持部２１ｃに分岐回路板２２が保持される。分岐回路板２２は、例えば、３つの嵌合空間部２１ａの開口側から回路板保持部２１ｃに挿入される。そして、分岐構造２０は、図４、図５に示すように、分岐回路板２２が回路板保持部２１ｃに保持された状態で、各分岐側コネクタ３０がハウジング２１の各嵌合空間部２１ａに嵌合される。このとき、各分岐側コネクタ３０は、嵌合凹部３１ｂ側が各嵌合空間部２１ａの奥側、すなわち、回路板保持部２１ｃに保持された分岐回路板２２側に位置するような位置関係で、各嵌合空間部２１ａに嵌合される。この分岐構造２０は、各分岐側コネクタ３０が各嵌合空間部２１ａに嵌合した状態で、分岐側コネクタ３０の長辺方向とハウジング２１の長辺方向とが一致し、分岐側コネクタ３０の短辺方向とハウジング２１の短辺方向とが一致し、分岐側コネクタ３０の高さ方向とハウジング２１の高さ方向とが一致する位置関係となる。そして、分岐構造２０は、各分岐側コネクタ３０が各嵌合空間部２１ａに嵌合した状態で、各分岐側コネクタ３０の各嵌合凹部３１ｂに分岐回路板２２の端面が嵌合し、各金属端子２ａの各接点部２ｂ（図２参照）と分岐回路板２２の各接点部２２ａとが当接し電気的に接続される。これにより、分岐構造２０は、分岐回路板２２を介して、少なくとも１つのサブハーネス１０の複数の回路を分岐させ、複数の他のサブハーネス１０の回路に分岐接続することができる。分岐構造２０は、各分岐側コネクタ３０が各嵌合空間部２１ａに嵌合し分岐回路板２２に接続された状態で、各分岐側コネクタ３０の各係止部３１ｄとハウジング２１の各係止部２１ｂとが係合し分岐側コネクタ３０が嵌合空間部２１ａ内に係止されると共に、係止解除部３１ｅが各嵌合空間部２１ａの外側に露出する。
【００３２】
そして、分岐構造２０に接続される複数の分岐側コネクタ３０は、すべて共通の形状であり、ハウジング２１は、すべて共通の形状の複数の分岐側コネクタ３０が各嵌合空間部２１ａに嵌合される。
【００３３】
なお、サブハーネス１０を構成するコネクタ４のうち分岐側コネクタ３０以外のコネクタ４は、接続される機器等に応じた形状とされればよい。また、本実施形態の分岐構造２０は、図３に示すように、共通の形状で形成される複数の分岐側コネクタ３０とは異なる形状のコネクタを含んでいないが、コネクタ自体を介さない直接的な金属端子２ａの端子接続自体は許容される。分岐構造２０は、例えば、ハウジング２１の長辺方向の他方側の面（嵌合空間部２１ａの開口が形成される面とは反対側の面）に形成された端子挿入孔（不図示）に対して、長辺方向に沿って複数の金属端子２ａが直接挿入されると共にハウジング２１に形成された嵌合孔（不図示）にスペーサ２３が嵌合することで、当該スペーサ２３によって当該金属端子２ａをハウジング２１に直接係止しこれを保持するようにしてもよい。
【００３４】
以上で説明したワイヤハーネス１によれば、複数の回路を構成する複数の線状導体２の端末に分岐側コネクタ３０が設けられた複数のサブハーネス１０と、複数のサブハーネス１０の複数の分岐側コネクタ３０が嵌合するハウジング２１、及び、ハウジング２１に保持され、ハウジング２１に嵌合された複数の分岐側コネクタ３０が接続されると共にサブハーネス１０の複数の回路を分岐させ他のサブハーネス１０の回路に接続する分岐回路板２２を有する分岐構造２０とを備え、複数の分岐側コネクタ３０は、すべて共通の形状である。以上で説明した分岐構造２０によれば、上記ハウジング２１と、上記分岐回路板２２とを備え、ハウジング２１は、すべて共通の形状の複数の分岐側コネクタ３０が嵌合される。ここでは、ハウジング２１は、複数の分岐側コネクタ３０が同じ向きで嵌合される。
【００３５】
したがって、ワイヤハーネス１、分岐構造２０は、ハウジング２１に保持された分岐回路板２２によって、サブハーネス１０の複数の回路を分岐させ他のサブハーネス１０の回路に接続することができる。そして、ワイヤハーネス１、分岐構造２０は、ハウジング２１に嵌合され分岐回路板２２に接続される複数のサブハーネス１０の複数の分岐側コネクタ３０がすべて共通の形状で構成されるので、分岐部分を分岐構造２０に集約しワイヤハーネス１の形体を簡略化した上で、組み立て時の作業性の向上や構成部品の汎用性の向上等を図ることができる。これにより、ワイヤハーネス１、分岐構造２０は、例えば、複数の線状導体２の取り回しや取りまとめの作業を簡略化することができる。さらに、ワイヤハーネス１、分岐構造２０は、例えば、ワイヤハーネス１の組み立て作業の自動化を図り易くすることができ、手作業の工程を低減することができ、また、誤配線を抑制することができ、品質を維持した上で検査工程も簡略化することができる。また、ワイヤハーネス１、分岐構造２０は、例えば、ワイヤハーネス１の組み立て作業において正確な寸法出しをし易くすることができ、作業スペースも省スペース化することができる。この結果、ワイヤハーネス１、分岐構造２０は、製造効率を向上することができる。
【００３６】
［実施形態２］
図６は、実施形態２に係るワイヤハーネスの分岐構造の概略構成を表す分解斜視図である。図７は、実施形態２に係るワイヤハーネスの分岐構造の分岐側コネクタ嵌合前の概略構成を表す分解斜視図である。図８は、実施形態２に係るワイヤハーネスの分岐構造の分岐側コネクタ嵌合後の概略構成を表す模式的な側面図である。図９は、実施形態２に係るワイヤハーネスの分岐構造の分岐側コネクタ嵌合後の概略構成を表す斜視図である。図１０、図１１は、変形例に係るワイヤハーネスの分岐構造の概略構成を表す斜視図である。実施形態２に係るワイヤハーネス、及び、分岐構造は、ハウジングの構成が実施形態１とは異なる。その他、上述した実施形態と共通する構成、作用、効果については、重複した説明はできるだけ省略する。また、ワイヤハーネスの構成については、適宜上述した図１を参照する（以下同様。）。
【００３７】
本実施形態に係るワイヤハーネス２０１（図１参照）は、図６、図７、図８、図９等に示すように、複数のサブハーネス１０と、当該複数のサブハーネス１０を接続する分岐構造２２０とを備える。分岐構造２２０は、複数のサブハーネス１０の複数の分岐側コネクタ３０が嵌合するハウジング２２１と、ハウジング２２１に保持される分岐回路板２２とを有する。
【００３８】
ハウジング２２１は、略直方体形状に形成され、全体が絶縁性の合成樹脂材等によって構成される。分岐構造２２０は、複数のサブハーネス１０の回路（線状導体２）を分岐接続するものであり、ここでは、ハウジング２２１は、少なくとも３つ以上の分岐側コネクタ３０が嵌合される。ハウジング２２１は、嵌合空間部２２１ａと、係止部２２１ｂと、回路板保持部２２１ｃとを含んで構成される。
【００３９】
嵌合空間部２２１ａは、上述した嵌合空間部２１ａと同様に、分岐側コネクタ３０が嵌合する空間部である。ここでは、嵌合空間部２２１ａは、ハウジング２２１に嵌合される６つの分岐側コネクタ３０に対応してそれぞれ１つずつ、合計６つが形成される。本実施形態のハウジング２２１は、複数の分岐側コネクタ３０の少なくとも一部が同じ向きで嵌合されると共に、複数の分岐側コネクタ３０の少なくとも一部が互いに対向する向きで嵌合される。すなわちここでは、複数の嵌合空間部２２１ａうちの３つは、ハウジング２２１の長辺方向（ハウジング２２１における第１の方向）の一方の端面から長辺方向に沿って形成されると共に、長辺方向と直交する短辺方向（ハウジング２２１における第２の方向）に沿って等間隔で並んで形成される。当該各嵌合空間部２２１ａは、ハウジング２２１の長辺方向の一方の端面側の開口から分岐側コネクタ３０が挿入され、嵌合される。一方、複数の嵌合空間部２２１ａうちの残りの３つは、ハウジング２２１の長辺方向の他方の端面から長辺方向に沿って形成されると共に、短辺方向に沿って等間隔で並んで形成される。当該各嵌合空間部２２１ａは、ハウジング２２１の長辺方向の他方の端面側の開口から分岐側コネクタ３０が挿入され、嵌合される。
【００４０】
係止部２２１ｂは、上述した係止部２１ｂと同様に、嵌合空間部２２１ａ内に嵌合された分岐側コネクタ３０を係止するための部分である。係止部２２１ｂは、ハウジング２２１の各嵌合空間部２２１ａ内の所定の位置にそれぞれ形成されている。ここでは、係止部２２１ｂは、長辺方向の一方の端面側に開口を有する３つの嵌合空間部２２１ａにおいては、嵌合空間部２２１ａ内の高さ方向（ハウジング２２１における第３の方向であり、長辺方向、及び、短辺方向と直交する方向）の一方側の壁面に形成されて、長辺方向の他方の端面側に開口を有する３つの嵌合空間部２２１ａにおいては、嵌合空間部２２１ａ内の高さ方向の他方側の壁面に形成されている。ハウジング２２１は、係止部２２１ｂが嵌合空間部２２１ａ内に嵌合された分岐側コネクタ３０の係止部３１ｄに係合することで、当該分岐側コネクタ３０が嵌合空間部２２１ａ内に嵌合された状態で所定の位置に係止される。
【００４１】
回路板保持部２２１ｃは、上述した回路板保持部２１ｃと同様に、板状に形成される分岐回路板２２を保持する部分である。回路板保持部２２１ｃは、ハウジング２２１の内部において各嵌合空間部２２１ａの先端側（長辺方向の他方側）に形成されている。ここでは、回路板保持部２２１ｃは、長辺方向の一方の端面側に開口を有する３つの嵌合空間部２２１ａと、長辺方向の他方の端面側に開口を有する３つの嵌合空間部２２１ａとの間に設けられる。回路板保持部２２１ｃは、ハウジング２２１内部にて分岐回路板２２をハウジング２２１の長辺方向、及び、短辺方向を含む面（言い換えれば、高さ方向と直交する面）と平行に保持する。なお、分岐回路板２２は、上述とほぼ同様の構成であるが、接続される分岐側コネクタ３０の数や接続位置に応じて形状、接点部２２ａの位置等が若干異なる。
【００４２】
上記のように構成される分岐構造２２０は、図６、図７に示すように、ハウジング２２１の内部の回路板保持部２２１ｃに分岐回路板２２が保持される。分岐回路板２２は、例えば、一方の３つの嵌合空間部２２１ａの開口側から回路板保持部２２１ｃに挿入される。そして、分岐構造２２０は、図７、図８、図９に示すように、分岐回路板２２が回路板保持部２２１ｃに保持された状態で、各分岐側コネクタ３０がハウジング２２１の各嵌合空間部２２１ａに嵌合される。このとき、各分岐側コネクタ３０は、嵌合凹部３１ｂ側が各嵌合空間部２２１ａの奥側、すなわち、回路板保持部２２１ｃに保持された分岐回路板２２側に位置するような位置関係で、各嵌合空間部２２１ａに嵌合される。この分岐構造２２０は、各分岐側コネクタ３０が各嵌合空間部２２１ａに嵌合した状態で、分岐側コネクタ３０の長辺方向とハウジング２２１の長辺方向とが一致し、分岐側コネクタ３０の短辺方向とハウジング２２１の短辺方向とが一致し、分岐側コネクタ３０の高さ方向とハウジング２２１の高さ方向とが一致する位置関係となる。ここでは、長辺方向の一方の端面側に開口を有する３つの嵌合空間部２２１ａに嵌合される３つの分岐側コネクタ３０と長辺方向の他方の端面側に開口を有する３つの嵌合空間部２２１ａに嵌合される３つの分岐側コネクタ３０とは、高さ方向に反転した位置関係となる。そして、分岐構造２２０は、各分岐側コネクタ３０が各嵌合空間部２２１ａに嵌合した状態で、各分岐側コネクタ３０の各嵌合凹部３１ｂに分岐回路板２２の端面が嵌合し、各金属端子２ａの各接点部２ｂ（図２参照）と分岐回路板２２の各接点部２２ａとが当接し電気的に接続される。これにより、分岐構造２２０は、分岐回路板２２を介して、少なくとも１つのサブハーネス１０の複数の回路を分岐させ、複数の他のサブハーネス１０の回路に分岐接続することができる。分岐構造２２０は、各分岐側コネクタ３０が各嵌合空間部２２１ａに嵌合し分岐回路板２２に接続された状態で、各分岐側コネクタ３０の各係止部３１ｄとハウジング２２１の各係止部２２１ｂとが係合し分岐側コネクタ３０が嵌合空間部２２１ａ内に係止されると共に、係止解除部３１ｅが各嵌合空間部２２１ａの外側に露出する。
【００４３】
そして、分岐構造２２０に接続される複数の分岐側コネクタ３０は、すべて共通の形状であり、ハウジング２２１は、すべて共通の形状の複数の分岐側コネクタ３０が各嵌合空間部２２１ａに嵌合される。
【００４４】
以上で説明したワイヤハーネス２０１、分岐構造２２０は、ハウジング２２１に嵌合され分岐回路板２２に接続される複数のサブハーネス１０の複数の分岐側コネクタ３０がすべて共通の形状で構成されるので、分岐部分を分岐構造２２０に集約しワイヤハーネス２０１の形体を簡略化した上で、組み立て時の作業性の向上や構成部品の汎用性の向上等を図ることができる。この結果、ワイヤハーネス２０１、分岐構造２２０は、製造効率を向上することができる。
【００４５】
さらに、以上で説明したワイヤハーネス２０１、分岐構造２２０によれば、ハウジング２２１は、複数の分岐側コネクタ３０の少なくとも一部が互いに対向する向きで嵌合される。したがって、ワイヤハーネス２０１、分岐構造２２０は、よりコンパクトな構成で多数の分岐側コネクタ３０をハウジング２２１に嵌合可能な構成とすることができ、汎用性を向上することができる。
【００４６】
なお、本実施形態の分岐構造２２０は、ハウジング２２１が複数設けられ、それぞれ相互に係合される係合部２２１ｄを有するように構成されてもよい。係合部２２１ｄは、各ハウジング２２１にそれぞれ設けられており、互いに係合することで各ハウジング２２１を一体化するものである。ここでは、係合部２２１ｄは、各ハウジング２２１において、短辺方向に対向する２面と高さ方向に対向する２面にそれぞれ１つずつ、合計４つが設けられている。各係合部２２１ｄは、スライド係合式等、種々の形式のものを適用することができる。分岐構造２２０は、図１０、図１１の変形例に例示するように、ハウジング２２１に設けられた当該係合部２２１ｄと他のハウジング２２１に設けられた当該係合部２２１ｄとを係合させ各ハウジング２２１を一体化することで、各嵌合空間部２２１ａの数、すなわち、嵌合可能な分岐側コネクタ３０の数を要求される数に応じて容易に変更することができ、汎用性を向上することができる。図１０は、ハウジング２２１を短辺方向に２つ並べて一体化した例を表しており、図１１は、ハウジング２２１を短辺方向に２つ並べて一体化したものを、高さ方向に２段積層させ一体化した例を表している。
【００４７】
［実施形態３］
図１２は、実施形態３に係るワイヤハーネスの分岐構造の概略構成を表す分解斜視図である。図１３は、実施形態３に係るワイヤハーネスの分岐構造の分岐側コネクタ嵌合前の概略構成を表す分解斜視図である。図１４は、実施形態３に係るワイヤハーネスの分岐構造の分岐側コネクタ嵌合後の概略構成を表す斜視図である。実施形態３に係るワイヤハーネス、及び、分岐構造は、ハウジングの構成が実施形態１、２とは異なる。
【００４８】
本実施形態に係るワイヤハーネス３０１（図１参照）は、図１２、図１３、図１４等に示すように、複数のサブハーネス１０と、当該複数のサブハーネス１０を接続する分岐構造３２０とを備える。分岐構造３２０は、複数のサブハーネス１０の複数の分岐側コネクタ３０が嵌合するハウジング３２１と、ハウジング３２１に保持される分岐回路板２２とを有する。
【００４９】
ハウジング３２１は、略直方体形状に形成され、全体が絶縁性の合成樹脂材等によって構成される。分岐構造３２０は、複数のサブハーネス１０の回路（線状導体２）を分岐接続するものであり、ここでは、ハウジング３２１は、少なくとも３つ以上の分岐側コネクタ３０が嵌合される。ハウジング３２１は、嵌合空間部３２１ａと、係止部３２１ｂと、回路板保持部３２１ｃとを含んで構成される。ここでは、ハウジング３２１は、後述する高さ方向に分割された２つの分割体３２１Ａ、３２１Ｂによって全体が構成される。ハウジング３２１は、分割体３２１Ａに係止凹部３２１ｅが形成され、分割体３２１Ｂに係止爪部３２１ｆが形成される。ハウジング３２１は、分割体３２１Ａ、３２１Ｂが高さ方向に積層され、係止爪部３２１ｆが係止凹部３２１ｅに係止されることで一体化される。ハウジング３２１は、一体化された分割体３２１Ａと分割体３２１Ｂとの内部に嵌合空間部３２１ａ、係止部３２１ｂ、回路板保持部３２１ｃ等が形成される。
【００５０】
嵌合空間部３２１ａは、上述した嵌合空間部２１ａと同様に、分岐側コネクタ３０が嵌合する空間部である。嵌合空間部３２１ａは、ハウジング３２１を構成する分割体３２１Ａと分割体３２１Ｂとによって区画される。ここでは、嵌合空間部３２１ａは、ハウジング３２１に嵌合される１０個の分岐側コネクタ３０に対応してそれぞれ１つずつ、合計１０個が形成される。本実施形態のハウジング３２１は、複数の分岐側コネクタ３０の少なくとも一部が同じ向きで嵌合されると共に、複数の分岐側コネクタ３０の少なくとも一部が互いに対向する向きで嵌合され、さらに、複数の分岐側コネクタ３０の少なくとも一部が互いに交差する向きで嵌合される。すなわちここでは、複数の嵌合空間部３２１ａうちの２つは、ハウジング３２１の長辺方向（ハウジング３２１における第１の方向）の一方の端面から長辺方向に沿って形成されると共に、長辺方向と直交する短辺方向（ハウジング３２１における第２の方向）に沿って等間隔で並んで形成される。当該各嵌合空間部３２１ａは、ハウジング３２１の長辺方向の一方の端面側の開口から分岐側コネクタ３０が挿入され、嵌合される。また、複数の嵌合空間部３２１ａうちの別の２つは、ハウジング３２１の長辺方向の他方の端面から長辺方向に沿って形成されると共に、短辺方向に沿って等間隔で並んで形成される。当該各嵌合空間部３２１ａは、ハウジング３２１の長辺方向の他方の端面側の開口から分岐側コネクタ３０が挿入され、嵌合される。さらに、複数の嵌合空間部３２１ａうちの別の３つは、ハウジング３２１の短辺方向の一方の端面から短辺方向に沿って形成されると共に、長辺方向に沿って等間隔で並んで形成される。当該各嵌合空間部３２１ａは、ハウジング３２１の短辺方向の一方の端面側の開口から分岐側コネクタ３０が挿入され、嵌合される。また、複数の嵌合空間部３２１ａうちの残りの３つは、ハウジング３２１の短辺方向の他方の端面から短辺方向に沿って形成されると共に、長辺方向に沿って等間隔で並んで形成される。当該各嵌合空間部３２１ａは、ハウジング３２１の短辺方向の他方の端面側の開口から分岐側コネクタ３０が挿入され、嵌合される。ハウジング３２１の短辺方向の端面に開口を有する６つの嵌合空間部３２１ａは、ハウジング３２１の長辺方向に対して、当該長辺方向の一方の端面側に開口を有する２つの嵌合空間部３２１ａと、当該長辺方向の他方の端面側に開口を有する２つの嵌合空間部３２１ａとの間に形成される。
【００５１】
係止部３２１ｂは、上述した係止部２１ｂと同様に、嵌合空間部３２１ａ内に嵌合された分岐側コネクタ３０を係止するための部分である。係止部３２１ｂは、ハウジング３２１の各嵌合空間部３２１ａ内の所定の位置にそれぞれ形成されている。ここでは、係止部３２１ｂは、嵌合空間部３２１ａ内の高さ方向（ハウジング３２１における第３の方向であり、長辺方向、及び、短辺方向と直交する方向）の一方側の壁面に形成されている。ハウジング３２１は、係止部３２１ｂが嵌合空間部３２１ａ内に嵌合された分岐側コネクタ３０の係止部３１ｄに係合することで、当該分岐側コネクタ３０が嵌合空間部３２１ａ内に嵌合された状態で所定の位置に係止される。
【００５２】
回路板保持部３２１ｃは、上述した回路板保持部２１ｃと同様に、板状に形成される分岐回路板２２を保持する部分である。回路板保持部３２１ｃは、ハウジング３２１の内部において各嵌合空間部３２１ａの先端側に形成されている。ここでは、回路板保持部３２１ｃは、長辺方向の一方の端面側に開口を有する２つの嵌合空間部３２１ａ、長辺方向の他方の端面側に開口を有する２つの嵌合空間部３２１ａ、短辺方向の一方の端面側に開口を有する３つの嵌合空間部３２１ａ、及び、短辺方向の他方の端面側に開口を有する３つの嵌合空間部３２１ａの間に設けられる。回路板保持部３２１ｃは、ハウジング３２１を構成する分割体３２１Ａと分割体３２１Ｂとによって区画され、ハウジング３２１内部にて分岐回路板２２をハウジング３２１の長辺方向、及び、短辺方向を含む面（言い換えれば、高さ方向と直交する面）と平行に保持する。なお、分岐回路板２２は、上述とほぼ同様の構成であるが、接続される分岐側コネクタ３０の数や接続位置に応じて形状、接点部２２ａの位置等が若干異なる。また、分岐側コネクタ３０は、上述とほぼ同様の構成であるが、端子挿入孔３１ａ等の形状が若干異なる。
【００５３】
上記のように構成される分岐構造３２０は、図１２、図１３に示すように、ハウジング３２１の内部の回路板保持部３２１ｃに分岐回路板２２が保持される。分岐回路板２２は、例えば、ハウジング３２１を構成する分割体３２１Ａと分割体３２１Ｂとによって挟み込まれるようにしてハウジング３２１内部の回路板保持部３２１ｃに設置される。そして、分岐構造３２０は、図１３、図１４に示すように、分岐回路板２２が回路板保持部３２１ｃに保持された状態で、各分岐側コネクタ３０がハウジング３２１の各嵌合空間部３２１ａに嵌合される。このとき、各分岐側コネクタ３０は、嵌合凹部３１ｂ側が各嵌合空間部３２１ａの奥側、すなわち、回路板保持部３２１ｃに保持された分岐回路板２２側に位置するような位置関係で、各嵌合空間部３２１ａに嵌合される。この分岐構造３２０は、長辺方向の端面側に開口を有する４つの嵌合空間部３２１ａについては、各分岐側コネクタ３０は各嵌合空間部３２１ａに嵌合した状態で、分岐側コネクタ３０の長辺方向とハウジング３２１の長辺方向とが一致し、分岐側コネクタ３０の短辺方向とハウジング３２１の短辺方向とが一致し、分岐側コネクタ３０の高さ方向とハウジング３２１の高さ方向とが一致する位置関係となる。一方、分岐構造３２０は、短辺方向の端面側に開口を有する６つの嵌合空間部３２１ａについては、各分岐側コネクタ３０は各嵌合空間部３２１ａに嵌合した状態で、分岐側コネクタ３０の短辺方向とハウジング３２１の長辺方向とが一致し、分岐側コネクタ３０の長辺方向とハウジング３２１の短辺方向とが一致し、分岐側コネクタ３０の高さ方向とハウジング３２１の高さ方向とが一致する位置関係となる。そして、分岐構造３２０は、各分岐側コネクタ３０が各嵌合空間部３２１ａに嵌合した状態で、各分岐側コネクタ３０の各嵌合凹部３１ｂに分岐回路板２２の端面が嵌合し、各金属端子２ａの各接点部２ｂ（図２参照）と分岐回路板２２の各接点部２２ａとが当接し電気的に接続される。これにより、分岐構造３２０は、分岐回路板２２を介して、少なくとも１つのサブハーネス１０の複数の回路を分岐させ、複数の他のサブハーネス１０の回路に分岐接続することができる。分岐構造３２０は、各分岐側コネクタ３０が各嵌合空間部３２１ａに嵌合し分岐回路板２２に接続された状態で、各分岐側コネクタ３０の各係止部３１ｄとハウジング３２１の各係止部３２１ｂとが係合し分岐側コネクタ３０が嵌合空間部３２１ａ内に係止されると共に、係止解除部３１ｅが各嵌合空間部３２１ａの外側に露出する。
【００５４】
そして、分岐構造３２０に接続される複数の分岐側コネクタ３０は、すべて共通の形状であり、ハウジング３２１は、すべて共通の形状の複数の分岐側コネクタ３０が各嵌合空間部３２１ａに嵌合される。
【００５５】
以上で説明したワイヤハーネス３０１、分岐構造３２０は、ハウジング３２１に嵌合され分岐回路板２２に接続される複数のサブハーネス１０の複数の分岐側コネクタ３０がすべて共通の形状で構成されるので、分岐部分を分岐構造３２０に集約しワイヤハーネス３０１の形体を簡略化した上で、組み立て時の作業性の向上や構成部品の汎用性の向上等を図ることができる。この結果、ワイヤハーネス３０１、分岐構造３２０は、製造効率を向上することができる。
【００５６】
さらに、以上で説明したワイヤハーネス３０１、分岐構造３２０によれば、ハウジング３２１は、複数の分岐側コネクタ３０の少なくとも一部が互いに交差する向きで嵌合される。したがって、ワイヤハーネス３０１、分岐構造３２０は、よりコンパクトな構成で多数の分岐側コネクタ３０をハウジング３２１に嵌合可能な構成とすることができ、汎用性を向上することができる。
【００５７】
［実施形態４］
図１５は、実施形態４に係るワイヤハーネスの分岐構造の一方の分割体の概略構成を表す斜視図である。図１６は、実施形態４に係るワイヤハーネスの分岐構造の他方の分割体の概略構成を表す斜視図である。図１７は、実施形態４に係るワイヤハーネスの分岐構造の分岐側コネクタ嵌合後の概略構成を表す斜視図である。実施形態４に係るワイヤハーネス、及び、分岐構造は、ハウジングの構成が実施形態３とは異なる。
【００５８】
本実施形態に係るワイヤハーネス４０１（図１参照）は、図１５、図１６、図１７等に示すように、複数のサブハーネス１０と、当該複数のサブハーネス１０を接続する分岐構造４２０とを備える。分岐構造４２０は、複数のサブハーネス１０の複数の分岐側コネクタ３０が嵌合するハウジング４２１と、ハウジング４２１に保持される分岐回路板２２（図１２等参照）とを有する。
【００５９】
ハウジング４２１は、上述のハウジング３２１と同様に２つの分割体３２１Ａ、３２１Ｂによって全体が構成される。ハウジング４２１は、長辺方向の端面側に開口を有する嵌合空間部３２１ａ内の係止部４２１ｂ（図１６参照）の形成位置等がハウジング３２１とは若干異なる。また、ハウジング４２１は、分割体３２１Ａと分割体３２１Ｂとを係止し一体化するための部分として、分割体３２１Ａ側にも係止爪部４２１ｆが設けられると共に分割体３２１Ｂ側に当該係止爪部４２１ｆが係止される係止凹部４２１ｅが設けられる点でもハウジング３２１とは若干異なる。ハウジング４２１は、その他の嵌合空間部３２１ａ、係止部３２１ｂ、回路板保持部３２１ｃ（図１２等参照）等の構成はハウジング３２１とほぼ同様である。
【００６０】
そしてさらに、本実施形態の分岐構造４２０は、ハウジング４２１が複数設けられ、それぞれ相互に係合される係合部４２１ｄを有する。係合部４２１ｄは、各ハウジング４２１にそれぞれ設けられており、互いに係合することで各ハウジング４２１を一体化するものである。ここでは、係合部４２１ｄは、係合爪部４２１ｇ、４２１ｈ、係合溝部４２１ｉ、係合溝部４２１ｊを含んで構成される。
【００６１】
係合爪部４２１ｇは、図１５に示すように、分割体３２１Ａの高さ方向の一方側の面から高さ方向に沿って突出する爪状の部分であり、係合爪部４２１ｈは、図１６に示すように、分割体３２１Ｂの高さ方向の他方側の面の段差部４２１ｋから長辺方向に沿って突出する爪状の部分である。ここで、分割体３２１Ｂの段差部４２１ｋは、長辺方向の端面側に開口を有する嵌合空間部３２１ａが形成される部分３２１Ｂａと、短辺方向の端面側に開口を有する嵌合空間部３２１ａが形成される部分３２１Ｂｂとの境界に形成される段差であり、部分３２１Ｂａに対して部分３２１Ｂｂ側が面落ちしている。段差部４２１ｋは、短辺方向に沿って２つ形成される。すなわち、段差部４２１ｋは、長辺方向の一方側の部分３２１Ｂａと部分３２１Ｂｂとの境界に１つ、長辺方向の他方側の部分３２１Ｂａと部分３２１Ｂｂとの境界に１つが形成される。そして、係合爪部４２１ｈは、当該段差部４２１ｋの高さ方向に沿った面から長辺方向に沿って突出して形成される。ここでは、係合爪部４２１ｇは、１つの分割体３２１Ａに対して４つが設けられ、同様に、係合爪部４２１ｈは、１つの分割体３２１Ｂに対して４つが設けられる。
【００６２】
係合溝部４２１ｉは、図１５に示すように、分割体３２１Ａの高さ方向の一方側の面の段差部４２１ｌに係合爪部４２１ｈを係止可能に形成される溝状の部分であり、係合溝部４２１ｊは、図１６に示すように、分割体３２１Ｂの長辺方向に沿った側面に係合爪部４２１ｇを係止可能に形成される溝状の部分である。ここで、分割体３２１Ａの段差部４２１ｌは、長辺方向の端面側に開口を有する嵌合空間部３２１ａが形成される部分３２１Ａａと、短辺方向の端面側に開口を有する嵌合空間部３２１ａが形成される部分３２１Ａｂとの境界に形成される段差であり、部分３２１Ａｂに対して部分３２１Ａａ側が面落ちしている。段差部４２１ｌは、短辺方向に沿って２つ形成される。すなわち、段差部４２１ｌは、長辺方向の一方側の部分３２１Ａａと部分３２１Ａｂとの境界に１つ、長辺方向の他方側の部分３２１Ａａと部分３２１Ａｂとの境界に１つが形成される。そして、係合溝部４２１ｉは、当該段差部４２１ｌの高さ方向に沿った面に形成される。ここでは、係合溝部４２１ｉは、１つの分割体３２１Ａに対して４つが設けられ、同様に、係合溝部４２１ｊは、１つの分割体３２１Ｂに対して４つが設けられる。
【００６３】
さらに、本実施形態のハウジング４２１は、分割体３２１Ａの高さ方向の一方側の面から高さ方向に沿って突出する位置決め突起部４２１ｍ（図１５参照）と、分割体３２１Ｂの高さ方向の他方側の面に高さ方向に沿って陥没して形成される位置決め凹部４２１ｎ（図１６参照）とを備える。位置決め突起部４２１ｍは、分割体３２１Ａの高さ方向の一方側の面において、各部分３２１Ａａにそれぞれ１つずつ、合計２つ形成されている。各位置決め突起部４２１ｍは、長辺方向に沿って延在する。位置決め凹部４２１ｎは、分割体３２１Ｂの高さ方向の他方側の面において、各部分３２１Ｂａにそれぞれ１つずつ、合計２つ形成されている。各位置決め凹部４２１ｎは、位置決め突起部４２１ｍが嵌合可能な凹部状の部分として形成され、長辺方向に沿って延在する。
【００６４】
上記のように構成される分岐構造４２０は、図１７に示すように、複数のハウジング４２１が高さ方向に沿って積層された上で、係合部４２１ｄを介して相互に係合されることで各ハウジング４２１を一体化することができる。このとき、分岐構造４２０は、高さ方向に隣接するハウジング４２１間で、係合爪部４２１ｇと係合溝部４２１ｊとが係合し、係合爪部４２１ｈと係合溝部４２１ｉとが係合（不図示）することで各ハウジング４２１が一体化される。またこのとき、分岐構造４２０は、高さ方向に隣接するハウジング４２１間で、分割体３２１Ａの段差部４２１ｌと分割体３２１Ｂの段差部４２１ｋとが噛み合うような位置関係で隣接するハウジング４２１が一体化されることで、よりコンパクトにハウジング４２１を積層させる構成を実現することができる。さらに、分岐構造４２０は、ハウジング４２１を高さ方向に積層させた状態で、分割体３２１Ａに形成された位置決め突起部４２１ｍが分割体３２１Ｂに形成された位置決め凹部４２１ｎに嵌合することで、高さ方向に隣接するハウジング４２１の相対的な位置関係を適正な位置関係にすることができる。
【００６５】
以上で説明したワイヤハーネス４０１、分岐構造４２０は、ハウジング４２１に嵌合され分岐回路板２２に接続される複数のサブハーネス１０の複数の分岐側コネクタ３０がすべて共通の形状で構成されるので、分岐部分を分岐構造４２０に集約しワイヤハーネス４０１の形体を簡略化した上で、組み立て時の作業性の向上や構成部品の汎用性の向上等を図ることができる。この結果、ワイヤハーネス４０１、分岐構造４２０は、製造効率を向上することができる。
【００６６】
さらに、以上で説明したワイヤハーネス４０１、分岐構造４２０によれば、ハウジング４２１は、複数設けられ、それぞれ相互に係合される係合部４２１ｄを有する。したがって、ワイヤハーネス４０１、分岐構造４２０は、係合部４２１ｄを介して複数のハウジング４２１を一体化することで、各嵌合空間部３２１ａの数、すなわち、嵌合可能な分岐側コネクタ３０の数を要求される数に応じて容易に変更することができ、汎用性を向上することができる。
【００６７】
なお、上述した本発明の実施形態、変形例に係るワイヤハーネス、及び、分岐構造は、上述した実施形態、変形例に限定されず、特許請求の範囲に記載された範囲で種々の変更が可能である。本実施形態、変形例に係るワイヤハーネス、及び、分岐構造は、以上で説明した各実施形態、変形例の構成要素を適宜組み合わせることで構成してもよい。
【００６８】
以上で説明した分岐側コネクタ３０の形状は、すべてが共通であればよく、上記で説明した形状には限られない。
【符号の説明】
【００６９】
１、２０１、３０１、４０１    ワイヤハーネス
２    線状導体
１０    サブハーネス
２０、２２０、３２０、４２０    分岐構造
２１、２２１、３２１、４２１    ハウジング
２２    分岐回路板
３０    分岐側コネクタ（コネクタ）
２２１ｄ、４２１ｄ    係合部
【図１】
0006630051.tif 000002
【図２】
0006630051.tif 000003
【図３】
0006630051.tif 000004
【図４】
0006630051.tif 000005
【図５】
0006630051.tif 000006
【図６】
0006630051.tif 000007
【図７】
0006630051.tif 000008
【図８】
0006630051.tif 000009
【図９】
0006630051.tif 000010
【図１０】
0006630051.tif 000011
【図１１】
0006630051.tif 000012
【図１２】
0006630051.tif 000013
【図１３】
0006630051.tif 000014
【図１４】
0006630051.tif 000015
【図１５】
0006630051.tif 000016
【図１６】
0006630051.tif 000017
【図１７】
0006630051.tif 000018